(57)【要約】【課題】  ろ過フィルターの交換が容易で、かつろ過器の外周面の汚れによって細菌などが発生することを低減させ、構造が簡易で製造コストの低いろ過機能を有する吐水管を具えた水栓装置を提供する。【解決手段】  出水部に吐水管を着脱自在に設ける水栓装置本体と、該水栓装置本体の出水部に設ける吐水管であって、管体とバルブユニットを含んでなる吐水管であって、該管体は、一端に該水栓装置の出水部に連結する連結部を形成し、他端に吐水部を形成し、かつ該管体の内部には第１通路構成部と第２通路構成部を形成し、該第２通路構成部にろ過ユニットを設けてなり、該バルブユニットは、該管体の外周壁一方の側に設ける。【選択図】図２
0003172842.tif 000002
【実用新案登録請求の範囲】
【請求項１】
出水部に吐水管を着脱自在に設ける水栓装置本体と、
管体とバルブユニットを含んでなり、該水栓装置本体の出水部に着脱自在に設ける吐水管とによってなる水栓装置であって、
該管体は、一端に該水栓装置本体の出水部に連結する連結部を形成し、他端に吐水部を形成し、かつ該管体の内部には第１通路構成部と第２通路構成部を形成し、該第２通路構成部にろ過ユニットを設けてなり、
該バルブユニットは、該管体の外周壁一方の側に設けることを特徴とするろ過機能を有する吐水管を具えた水栓装置。
【請求項２】
該バルブユニットが、該管体内を通過する水流を該第１通路構成部から該吐水部に流れるか、該第２通路構成部から該ろ過ユニットを通過して該吐水部に流れるか切り替える密封バルブを具えることを特徴とする請求項１に記載のろ過機能を有する吐水管を具えた水栓装置。
【請求項３】
前記第１通路構成部に、該密封バルブによって開閉される第１通路を形成することを特徴とする請求項２に記載のろ過機能を有する吐水管を具えた水栓装置。
【請求項４】
前記第２通路構成部に、該密封バルブによって開閉される第２通路を形成することを特徴とする請求項２に記載のろ過機能を有する吐水管を具えた水栓装置。
【請求項５】
前記水栓装置本体の出水部に螺刻し、前記管体の連結部には該水栓装置本体の出水部のねじ山に対応して螺刻することを特徴とする請求項１に記載のろ過機能を有する吐水管を具えた水栓装置。
【請求項６】
前記ろ過ユニットにＰＰ繊維か、樹脂か、活性炭か、綿質材か、木炭か、麦飯石か、もしくは塩素除去剤などから選択される少なくとも１以上のろ過材を設けることを特徴とする請求項１に記載のろ過機能を有する吐水管を具えた水栓装置。
【請求項７】
前記管体が液体非透過性の材質によってなることを特徴とする請求項１に記載のろ過機能を有する吐水管を具えた水栓装置。
【請求項８】
前記吐水管と前記水栓装置本体とがジョイント介して接続し、該ジョイントは液体通路内部に形成した中空の接続部材であって、該水栓装置本体に接続する第１連結部と、該吐水管１に接続する第２連結部とを具えることを特徴とする請求項１に記載のろ過機能を有する吐水管を具えた水栓装置。
【考案の詳細な説明】
【技術分野】
【０００１】
この考案は水栓に関し、特にろ過機能を有する吐水管と、該吐水管を用いた水栓装置に関する。
【背景技術】
【０００２】
交通手段などの各方面において、人々に便利さを提供できるようになり、快適な生活を実現した。だが、工業化が進めば進むほど、人類にとって負の影響を与えるようになった。例えば空気、水の汚染に代表される生活環境の汚染は人類の生存環境に欠陥を与えるものになっている。
【０００３】
水を例に挙げれば、水道水であろうと地下水であろうと、人体に無益な、もしくは有害な物質を含有する。これには最近、微粒の砂、残余の塩素、重金属、農薬、もいくは塩化物などを含む。よって、水道水を飲用する場合、もしくは野菜や果物の洗浄に使用する場合、好ましくは水道水をろ過したほうがよい。
【０００４】
従来の技術によるろ過装置には、多くの方式が開発されている。例えば、逆浸透膜ろ過、活性炭ろ過、イオン交換ろ過、オゾン殺菌などが挙げられる。これらは、それぞれ殺菌、もしくはろ過の作用を有する。しかしながら、これら従来の技術によるろ過装置は、通常製造コストが高く、装置自体の体積が大きく、電気を使用する装置においては電力の消費量が多く、さらには、ろ過フィルターを定期的に交換しなければならないなどの欠点を有する。
【０００５】
例えば、図８に開示する従来のろ過器１０２は、水栓装置１００の吐水管１０１に設ける。吐水管１０１から流れる水がろ過器１０２を通過することによってろ過の作用が発生する。かかる外付け式の濾過システムは、好ましい外観が得られない。しかも、ろ過器１０２の体積が大きく使用上不便であるのみならず、外周面に汚れが付着しやすく、ここから細菌などの発生する恐れがある。また、定期的にろ過フィルターを交換するか、洗浄しなければならず、消費者にとって大きな負担となる。したがって、水栓装置の濾過装置には、改善の余地がある。
【考案の概要】
【考案が解決しようとする課題】
【０００６】
この考案は、ろ過フィルターの交換が容易で、かつろ過器の外周面の汚れによって細菌などが発生することを低減させる、実用性の高い水栓装置を提供することを課題とする。
【０００７】
また、この考案は、構造が簡易で製造コストが低く、かつ好ましい外観の得られるろ過機能を有する吐水管、及びその水栓装置を提供することを課題とする。
【課題を解決するための手段】
【０００８】
そこで、本考案者は従来の濾過装置に見られる欠点に鑑み鋭意研究を重ねた結果、出水部に吐水管を着脱自在に設ける水栓装置本体と、該水栓装置本体の出水部に着脱自在に設ける吐水管とによって水栓装置を構成し、該吐水管は管体とバルブユニットを含んでなり、一端に該水栓装置の出水部に連結する連結部を形成し、他端に吐水部を形成し、かつ該管体の内部には第１通路構成部と第２通路構成部を形成し、該第２通路構成部にろ過ユニットを設けてなり、該バルブユニットは、該管体の外周壁一方の側に設ける水栓装置の構造によって課題を解決できる点に着眼し、かかる知見に基づいて、本考案を完成させた。
【０００９】
以下、この考案について具体的に説明する。
請求項１に記載するろ過機能を有する吐水管を具えた水栓装置は、出水部に吐水管を着脱自在に設ける水栓装置本体と、
該水栓装置の出水部に設ける吐水管であって、管体とバルブユニットを含んでなる吐水管であって、
該管体は、一端に該水栓装置の出水部に連結する連結部を形成し、他端に吐水部を形成し、かつ該管体の内部には第１通路構成部と第２通路構成部を形成し、該第２通路構成部にろ過ユニットを設けてなり、
該バルブユニットは、該管体の外周壁一方の側に設ける。
【００１０】
請求項２に記載するろ過機能を有する吐水管を具えた水栓装置は、請求項１におけるバルブユニットが、該管体内を通過する水流を該第１通路構成部から該吐水部に流れるか、該第２通路構成部から該ろ過ユニットを通過して該吐水部に流れるか切り替える密封バルブを具える。
【００１１】
請求項３に記載するろ過機能を有する吐水管を具えた水栓装置は、請求項２における第１通路構成部に、該密封バルブによって開閉される第１通路を形成する。
【００１２】
請求項４に記載するろ過機能を有する吐水管を具えた水栓装置は、請求項２における第２通路構成部に、該密封バルブによって開閉される第２通路を形成する。
【００１３】
請求項５に記載するろ過機能を有する吐水管を具えた水栓装置は、請求項１における水栓装置の出水部に螺刻し、管体の連結部には該水栓装置本体の出水部のねじ山に対応して螺刻する。
【００１４】
請求項６に記載するろ過機能を有する吐水管を具えた水栓装置は、請求項１におけるろ過ユニットにＰＰ繊維か、樹脂か、活性炭か、綿質材か、木炭か、麦飯石か、もしくは塩素除去剤などから選択される少なくとも１以上のろ過材を設ける。
【００１５】
請求項７に記載するろ過機能を有する吐水管を具えた水栓装置は、請求項１における管体が液体非透過性の材質によってなる。
【００１６】
請求項７に記載するろ過機能を有する吐水管を具えた水栓装置は、請求項１における吐水管と水栓装置本体とがジョイント介して接続し、該ジョイントは液体通路内部に形成した中空の接続部材であって、該水栓装置本体に接続する第１連結部と、該吐水管１に接続する第２連結部とを具える。
【考案の効果】
【００１７】
この考案における水栓装置は、ろ過機能を有する吐水管を着脱自在に設けることによって、該吐水管を容易に交換できるとともに、該吐水管が簡易な構造で、かつ低コストで製造できることから、使い捨てとすることができるため、極めて高い利便性を有する。
【図面の簡単な説明】
【００１８】
【図１】この考案による吐水管と水栓装置を分解した状態を示した説明図である。
【図２】この考案による吐水管と水栓装置を組み合わせた状態を示した斜視図である。
【図３】他の実施の形態による吐水管と水栓装置を分解した状態を示した説明図である。
【図４】他の実施形態による吐水管と水栓装置を組み合わせた状態を示した斜視図である。
【図５】この考案による吐水管の構造と水流を示した説明図である。
【図６】この考案による吐水管の構造と水流を示した他の説明図である。
【図７】その他の実施形態による吐水管と水栓装置を分解した状態を示した説明図である。
【図８】従来の濾過器を設けた水栓装置の外観を示した説明図である。
【考案を実施するための最良の形態】
【００１９】
この考案による水栓装置は、図１から図４に開示するように、水栓装置本体２と、水栓装置本体２に着脱自在に設ける吐水管１とによってなる。吐水管１は管体１１とバルブユニット１２とを含んでなる。管体１１は、例えばプラスチック材などによってなる液体非透過性の管体であって、液体は外部から管壁を浸透して内部に進入することができない。
【００２０】
図５、６に管体１１の内部構造と水流を開示する。図面によれば、管体１１の両端にはそれぞれ蛇口本体の連結部１１１と吐水部１１２が形成され、かつ管体１１の内部には第１通路構成部１１３と第２通路構成部１１４が形成される。第１通路構成部１１３と第２通路構成部１１４とにはそれぞれ第１通路１１３ａと第２通路１１４ａが形成される。
【００２１】
第２通路構成部１１４内には少なくとも１以上のろ過材を具える濾過ユニット１３を設ける。ろ過材は従来の技術によるものでよく、例えばＰＰ繊維か、樹脂か、活性炭か、綿質材か、木炭か、麦飯石か、もしくは塩素除去剤などから、ろ過の効果を有するものを選択する。
【００２２】
図１から４に開示するように、この考案は出水部の位置が異なる水栓装置のいずれであっても応用することができ、連結部１１１には、ねじ山１１１ａを螺刻する。水栓装置本体２の出水部にもねじ山１１１ａに対応して螺刻する。ねじ山１１１ａが水栓装置本体２の出水部のねじ山に螺合することによって、管体１１を水栓装置本体２に着脱自在に連結することができ、管体１１が水栓装置本体２の出水管となる。
【００２３】
バルブユニット１２は管体１１の外周壁一方の側に設け、密封バルブ１２１を具える。密封バルブ１２１は第１通路構成部１１３に形成される第１通路１１３ａと、第２通路構成部１１４に形成される第２通路１１４ａの開閉を制御して、水流の方向を切り換える作用を有する。即ち、水流が直接第１通路構成部１１３から吐水部１１２に流れるか、もしくは水流が第２通路構成部１１４からろ過ユニット１３を通過して吐水部１１２に流れるか、切り換える。          
【００２４】
以上の構成によって、連結部１１１のねじ山１１１ａを水栓装置本体２の出水部のねじ山に螺合させることができ、吐水管１を水栓装置本体２に着脱自在に設けることができる。したがって、バルブユニット１２を操作することによって水流の方向を制御してろ過の効果が得られる。
【００２５】
また、吐水管１は構造が単純で、かつプラスチック材などによって製造することができ、製造コストを低減させることができる。しかも、上述するように、水栓装置本体２に着脱自在に設けられるため、一定の期間使用してろ過材を交換する必要があると判断した場合は、それまで使用していた吐水管１を取り外して廃棄し、新しいものと交換することができる。即ち、本考案における吐水管１は使い捨てにすることが可能であり、使用上極めて利便性を有する。
【００２６】
図７に、その他実施の形態を開示する。図面によれば、吐水管１と水栓装置本体２とはジョイント３を介して接続する。ジョイント３は液体通路３３を内部に形成した中空の接続部材であって、水栓装置本体２に接続する第１連結部３１と、吐水管１に接続する第２連結部３２とを具える。
【００２７】
この考案における吐水管１において、ろ過の効果を得ようとする場合は、図６に開示するようにバルブユニット１２を操作して密封バルブ１２１によって第１通路１１３ａを閉鎖する。よって、水流は第２通路１１４ａから濾過ユニット１３を通過して吐水部１１２から吐出する。ろ過させない場合は、図５に開示するように、バルブユニット１２を操作して密封バルブ１２１によって第２通路１１４ａを閉鎖する。よって水流は第１通路１１３ａから直接吐水部１１２に流れて吐水する。
【００２８】
以上の構造によるこの考案の吐水管１と水栓装置本体２によってなる水栓装置は、水栓装置の外部にろ過装置を設ける従来の方式に比して、好ましい外観が得られ、かつ同様にろ過の効果が得られる。
【００２９】
また、吐水管１が水栓装置本体２に着脱自在に設けられるため、取り外し、交換が容易である。したがって、フィルター材を交換することなく、使い捨て方式で吐水管を交換することができることから、極めて利便性を有する。
【００３０】
さらに、水栓装置の外部にろ過装置を設ける従来の方式のように、ろ過装置の外周面に汚れが付着して細菌が発生することを、吐水管１を使い捨て方式で交換し、廃棄することによって、衛生面においても、安全性を高めることができる。
【００３１】
以上はこの考案の好ましい実施の形態であって、この考案の実施の範囲を限定するものではない。よって、当業者のなし得る修正、変更などであって、この初の精神の下においてなされ、この考案に対して均等の効果を有するものは、いずれもこの考案の実用新案登録請求の範囲に属するものとする。
【符号の説明】
【００３２】
１         吐水管
１００     水栓装置
１０１     吐水管
１０２     ろ過器
１１       管体
１１１     連結部
１１１ａ   ねじ山
１１２     吐水部
１１３     第１通路構成部
１１３ａ   第１通路
１１４     第２通路構成部
１１４ａ   第２通路
１２       バルブユニット
１２１     密封バルブ
１３       ろ過ユニット
２        水栓装置本体
３         ジョイント
３１       第１連結部
３２       第２連結部
３３       液体通路
【図１】
0003172842.tif 000003
【図２】
0003172842.tif 000004
【図３】
0003172842.tif 000005
【図４】
0003172842.tif 000006
【図５】
0003172842.tif 000007
【図６】
0003172842.tif 000008
【図７】
0003172842.tif 000009
【図８】
0003172842.tif 000010